(57)【要約】  線形カッターステープラーは、互いに開閉可能な上顎部と下顎部（５）とを含む。下顎部（５）の遠位端には、ステープルカートリッジ（５１）が設けられる。下顎部（５）はＵ字形を有し、その内部には、ステープル押し棒（３）とカッター押し棒（４）とがスライド可能に設けられる。線形カッターステープラーはさらに、安全装置を含む。安全装置は、係合部材を備える。ステープル押し棒（３）の底面には、係合部材と嵌合する切欠きが設けられる。安全装置はさらに、浮動ブロック（１）を備える。浮動ブロック（１）は、下顎部（５）の中で長手方向に変位可能である。浮動ブロック（１）は、ステープルカートリッジ（５１）またはステープルアンビル（６）に当接すると、係合部材の頂端を長手方向に変位させ、係合部材を切欠きから解放する。線形カッターステープラーは、簡単な構造を有し、容易に製造され、安全で信頼性が高い。
2014505508.tif 000002
【特許請求の範囲】
【請求項１】
線形カッターステープラーであって、
互いに開閉可能の上顎部と下顎部とを含み、
前記下顎部の遠位端には、ステープルカートリッジが設けられ、
前記下顎部はＵ字形を有し、その内部には、ステープル押し棒とカッター押し棒とがスライド可能に設けられ、
係合部材を備える安全装置をさらに含み、
前記ステープル押し棒の底面には、前記係合部材と嵌合する切欠きが設けられ、
前記安全装置はさらに、前記下顎部の中で長手方向に変位可能の浮動ブロックを備え、
前記浮動ブロックは、前記ステープルカートリッジまたはステープルアンビルに当接すると、前記係合部材の頂端を長手方向に変位させ、前記係合部材を前記切欠きから解放する、線形カッターステープラー。
【請求項２】
前記浮動ブロックの底端が前記係合部材の頂端に連結され、前記係合部材の底端が前記下顎部に連結され、前記ステープル押し棒と前記カッター押し棒がそれぞれ通過するための第１貫通スロットと第２貫通スロットが軸方向に沿って前記浮動ブロックに設けられる、請求項１に記載の線形カッターステープラー。
【請求項３】
前記浮動ブロックの遠位端には、前記ステープルカートリッジに押圧される突起が設けられ、前記ステープルカートリッジは、前記突起を押圧することにより、前記係合部材の頂端を押して長手方向に変位させ、前記係合部材を前記切欠きから解放する、請求項２に記載の線形カッターステープラー。
【請求項４】
前記浮動ブロックの近位端には、前記ステープルアンビルに押圧される突起が設けられ、前記ステープルアンビルは、前記突起を押圧することにより、前記係合部材の頂端を押し長手方向に変位させ、前記係合部材を前記切欠きから解放する、請求項２に記載の線形カッターステープラー。
【請求項５】
前記係合部材は、板ばねであって、前記板ばねの底端が前記下顎部の内壁に溶接され、前記板ばねの頂端が前記浮動ブロックに固設される、請求項１から４のいずれか１項に記載の線形カッターステープラー。
【請求項６】
前記係合部材は、前記浮動ブロックの底部における係合ブロックであって、前記係合ブロックの頂端が前記切欠きと係合し、前記係合ブロックの底端がばねを介して前記下顎部の底面に連結され、
前記浮動ブロックは、前記ステープルカートリッジまたは前記ステープルアンビルに当接すると、前記係合部材を長手方向に変位させ、前記係合部材の底部を前記切欠きから解放する、請求項１に記載の線形カッターステープラー。
【請求項７】
前記係合ブロックと前記浮動ブロックとは、一体的に製造される、請求項６に記載の線形カッターステープラー。
【請求項８】
前記係合部材は、前記下顎部の底面の中央に連結され、それに応じて、前記切欠きは、前記ステープル押し棒の底面の中央に設置される、請求項１から４のいずれか１項に記載の線形カッターステープラー。
【請求項９】
腎臓形の突起が、浮動ブロックの軸方向の両側の各々に設けられ、前記腎臓形の突起に嵌合する腎臓形の溝が、前記下顎部の両内側壁の各々に設けられ、前記腎臓形の突起は、前記腎臓形の溝において長手方向に移動可能である、請求項１に記載の線形カッターステープラー。
【発明の詳細な説明】
【技術分野】
【０００１】
本願は、２０１０年１２月１６日に中国専利局に提出された中国特許出願第２０１０１０５９２４９２．Ｘ号、発明の名称「線形カッターステープラー」に基づく優先権を主張し、その開示全体が引用により本明細書中に援用される。
【０００２】
本発明は、医療機械技術分野に属する線形カッターステープラーに関する。
【背景技術】
【０００３】
線形カッターステープラーは、外科手術において、傷口の縫合、内部組織の切開および縫合のために広く使用される。米国特許第５１２９５７０号に開示されたように、典型的な線形カッターステープラーは、縫合機能および切開機能の両方を有し、不要な組織を切除するとともに傷口を縫合する。この種類の線形カッターステープラーは、通常、２つの顎（すなわち、上顎部および下顎部）と、上顎部および下顎部を閉めるための閉めハンドルと、上顎部および下顎部の前端にそれぞれ設けられた対向するステープルアンビルおよびステープルカートリッジと、ステープルカートリッジに設けられ、かつ、ステープルカートリッジに対して同時に移動可能な撃鉄片およびカッターと、撃鉄片およびカッターを移動させるための押しボタンとを含む。ステープルカートリッジには、ステープルが設置される。撃鉄片は、ステープル押片を順次押すことにより、ステープルをステープルアンビルに向かって押出す。カッターは、ステープルカートリッジとステープルアンビルとの間の組織を切除する。
【０００４】
この器具のステープルカートリッジは交換可能で、複数回使用することができる。臨床応用において、しばしば組織の切開および縫合を複数回行う必要があるため、手術中にステープルカートリッジを複数回交換する必要もある。ステープルカートリッジが装填されない場合に、押しボタンを任意に前方に押出すことができるため、カッターが押出される可能性がある。それによって、縫合されず切開されるだけという深刻な結果になり得る。したがって、先行技術の線形カッターステープラーには、安全装置が設けられている。
【０００５】
米国特許第５１２９５７０号は、安全装置を開示している。この安全装置において、カッター通路とステープル押し棒通路とを有する安全ブロックが器具の中央部に設置され、カッターの下には、板ばねが設置される。器具が開放位置にあるときに、すなわち、上顎部と下顎部が閉められてない場合に、板ばねは、カッターを上方へ付勢することにより、カッターがカッター通路を通らないようにし、安全装置の役目を果たす。ステープルカートリッジが器具に挿入され、かつ、上下顎部が閉められた後、ステープルカートリッジは、カッターの頂部を押圧し、それにより、カッターは、板ばねの弾性力を克服してカッター通路と整列する状態に復帰する。このとき、安全装置は解除され、器具は使用できる状態になる。
【０００６】
米国特許第７０５５７３０号は、別の安全装置を開示している。この安全装置において、カッター押し棒通路とステープル押し棒通路とを有する安全ブロックが器具の中央部に設置され、安全ブロックはねじりばねの作用によって、器具を中心にして回転可能である。器具が開放位置にあるときに、すなわち、上顎部と下顎部が閉められてない場合に、安全ブロックはねじれ、ステープル押し棒とカッター押し棒との両方が通路を通らないようにし、安全装置の役目を果たす。ステープルカートリッジが器具に挿入され、かつ、上下顎部が閉められた後、ステープルカートリッジが安全ブロックの頂部を押圧し、それにより、安全ブロックは、ねじりばねの弾性力を克服して正常位置に復帰する。すなわち、ステープル押し棒およびカッター押し棒は各々、安全ブロックにおける通路と整列され、ステープル押し棒とカッター押し棒との両方が安全ブロックを通ることができるようになる。このとき、安全装置は解放され、器具は使用できる状態になる。
【発明の概要】
【発明が解決しようとする課題】
【０００７】
上記すべての構造は、複雑であり、製造および組立が困難で、しかも高価である。
本発明の目的は、簡単な構造を有する安全装置を備える線形カッターステープラーを提供することである。
【課題を解決するための手段】
【０００８】
本発明の目的は、以下の技術的解決策により達成される。
線形カッターステープラーは、互いに開閉可能な上顎部と下顎部とを含む。下顎部の遠位端には、ステープルカートリッジが設けられる。下顎部はＵ字形を有し、その内部には、ステープル押し棒とカッター押し棒とがスライド可能に設けられる。線形カッターステープラーはさらに、係合部材を備える安全装置を含む。ステープル押し棒の底面には、係合部材と嵌合する切欠きが設けられる。安全装置はさらに、下顎部の中で長手方向に変位可能な浮動ブロックを備える。浮動ブロックは、ステープルカートリッジまたはステープルアンビルに当接すると、係合部材の頂端を長手方向に変位させ、係合部材を切欠きから解放する。
【０００９】
また、浮動ブロックの底端が係合部材の頂端に連結され、係合部材の底端が下顎部に連結される。ステープル押し棒とカッター押し棒がそれぞれ通過するための第１貫通スロットと第２貫通スロットが軸方向に沿って浮動ブロックに設けられる。
【００１０】
さらに、浮動ブロックの遠位端には、ステープルカートリッジに押圧される突起が設けられる。ステープルカートリッジは、突起を押圧することにより、係合部材の頂端を押して長手方向に変位させ、係合部材を切欠きから解放する。
【００１１】
さらに、浮動ブロックの近位端には、ステープルアンビルに押圧される突起が設けられる。ステープルアンビルは、突起を押圧することにより、係合部材の頂端を押して長手方向に変位させ、係合部材を切欠きから解放する。
【００１２】
さらに、係合部材は、板ばねであって、板ばねの底端が下顎部の内壁に溶接され、板ばねの頂端が浮動ブロックに固設される。
【００１３】
さらに、係合部材は、浮動ブロックの底部における係合ブロックである。係合ブロックの頂端が切欠きと係合し、係合ブロックの底端がばねを介して下顎部の底面に連結される。浮動ブロックは、ステープルカートリッジまたはステープルアンビルに当接すると、係合部材を長手方向に変位させ、係合部材の底部を切欠きから解放する。
【００１４】
さらに、係合ブロックと浮動ブロックとは、一体的に製造される。
さらに、係合部材は、下顎部の底面の中央に連結され、それに応じて、切欠きは、ステープル押し棒の底面の中央に設置される。
【００１５】
さらに、腎臓形の突起が、浮動ブロックの軸方向の両側の各々に設けられる。腎臓形の突起に嵌合する腎臓形の溝が、下顎部の両内側壁の各々に設けられる。腎臓形の突起は、腎臓形の溝において長手方向に移動可能である。
【００１６】
本発明は、構造が簡単であって、製造が容易であり、かつ、安全で信頼性が高いなどの有益効果を有し、普及する価値がある。
【図面の簡単な説明】
【００１７】
【図１】第１実施例における下顎部の構造を示す概略図であり、図においてステープルカートリッジは示されていない。
【図２】図１のＡ−Ａ線に沿った断面図である。
【図３】第１実施例における線形カッターステープラーの部分構造を示す概略図である。
【図４】図３のＢ−Ｂ線に沿った断面図である。
【図５】第２実施例における下顎部の構造を示す概略図であり、図においてステープルカートリッジは示されていない。
【図６】図５のＣ−Ｃ線に沿った断面図である。
【図７】第２実施例における線形カッターステープラーの部分構造を示す概略図である。
【図８】図７のＤ−Ｄ線に沿った断面図である。
【発明を実施するための形態】
【００１８】
本発明は、互いに開閉可能な上顎部と下顎部５とを含む線形カッターステープラーを提供する。下顎部５の遠位端には、ステープルカートリッジ５１が設けられる。下顎部５はＵ字形を有し、その内部には、ステープル押し棒３とカッター押し棒４とがスライド可能に設けられる。線形カッターステープラーはさらに、係合部材を備える安全装置を含む。ステープル押し棒３の底面には、係合部材の頂端と嵌合する切欠きが設けられる。安全装置はさらに浮動ブロック１を備える。この浮動ブロック１は、ステープルカートリッジ５１またはステープルアンビル６に当接すると、係合部材の頂端を押して長手方向に変位させ、係合部材を切欠きから解放することができる。ステープル押し棒３とカッター押し棒４がそれぞれ通過するための第１貫通スロット１１と第２貫通スロット１２が軸方向に沿って浮動ブロック１に設けられる。
【実施例１】
【００１９】
図１〜図４に示すように、本実施例において、線形カッターステープラーは、上顎部と、Ｕ字形の下顎部５と、下顎部５内に設けられ、スライド可能なステープル押し棒３およびカッター押し棒４と、安全装置とを含む。該安全装置は、底端が下顎部５の内壁の中央に溶接される板ばね２と、板ばね２の頂端に連結される浮動ブロック１とを備える。浮動ブロック１には、ステープル押し棒３とカッター押し棒４が各々通過するための第１貫通スロット１１と第２貫通スロット１２が軸方向に沿って設けられる。ステープル押し棒３の底面の中央には、板ばね２の頂端と係合する切欠きが設けられる。浮動ブロック１の遠位端には、ステープルカートリッジ５１に押圧される突起１３が設けられる。腎臓形の突起（図示せず）が、浮動ブロック１の軸方向の両側の各々に設けられ、腎臓形の突起に嵌合する腎臓形の溝が、下顎部５の両内側壁の各々に設けられる。腎臓形の突起は、腎臓形の溝において長手方向に移動可能であるため、浮動ブロック１を長手方向に案内して移動させることができる。当然ながら、腎臓形の溝（図示せず）を浮動ブロック１の軸方向の両側の各々に設け、腎臓形の溝に嵌合する腎臓形の突起を下顎部５の両内側壁の各々に設けてもよい。
【００２０】
本実施例の動作原理は、以下に説明される。線形カッターステープラーが開けられないまたはステープルカートリッジ５１が装入されないとき、浮動ブロック１が板ばね２の作用により上方へ浮動し、板ばね２がステープル押し棒３の底面の切欠きと係合する。よって、ステープル押し棒３の前方への移動ができなくなり、安全装置が起動する。ステープルカートリッジ５１が下顎部５に装入され、上顎部および下顎部が閉められると、ステープルカートリッジ５１が突起１３を押圧することになり、よって浮動ブロック１は板ばね２を押圧し、下方へ移動させる。その後、浮動ブロックは、ステープル押し棒３およびカッター押し棒４が通過できる位置に復帰する。したがって、板ばね２が切欠きから解放され、安全装置が解除される。
【実施例２】
【００２１】
図５〜図８に示すように、本実施例において、浮動ブロック１の近位端には、ステープルアンビル６に押圧される突起１３が設けられる。他の構造は第１実施例と同様であるため、これらの構造に関する説明は繰返さない。
【００２２】
本実施例の動作原理は、以下に説明される。線形カッターステープラーが開けられないまたはステープルカートリッジ５１が装入されないとき、浮動ブロック１が板ばね２の作用により上方へ浮動し、板ばね２がステープル押し棒３の底面の切欠きと係合する。よって、ステープル押し棒３の前方への移動ができなくなり、安全装置が起動する。ステープルカートリッジ５１が下顎部５に装入され、上顎部および下顎部が閉められると、ステープルアンビル６が突起１３を押圧することになり、よって浮動ブロック１は板ばね２を押圧し、下方へ移動させる。その後、浮動ブロックは、ステープル押し棒３およびカッター押し棒４が通過できる位置に復帰する。したがって、板ばね２が切欠きから解放され、安全装置が解除される。
【実施例３】
【００２３】
本実施例において、係合部材は、切欠きと係合する係合ブロック（図示せず）である。係合ブロックの底端はばね（図示せず）を介して下顎部５の底面に連結される。係合ブロックと浮動ブロック１とは、一体的に製造される。他の構造は第１実施例と同様であるため、これらの構造に関する説明は繰返さない。
【００２４】
本実施例の動作原理は、以下に説明する。線形カッターステープラーが開けられないまたはステープルカートリッジ５１が装入されないとき、係合ブロックがばねの作用により上方へ浮動し、よって浮動ブロック１が係合ブロックの作用により上方へ浮動する。係合ブロックの頂端がステープル押し棒３の底面の切欠きと係合する。よって、ステープル押し棒３の前方への移動ができなくなり、安全装置が動作する。ステープルカートリッジ５１が下顎部５に装入され、上顎部および下顎部が閉められると、ステープルカートリッジ５１が突起１３を押圧することになり、よって浮動ブロック１はばねを押圧して収縮させ、係合ブロックを押して下方へ移動させる。その後、浮動ブロック１は、ステープル押し棒３およびカッター押し棒４が通過できる位置に復帰する。したがって、係合ブロックが切欠きから解放され、安全装置が解除される。
【実施例４】
【００２５】
本実施例において、係合部材は、係合ブロック（図示せず）である。係合ブロックの頂端は切欠きと係合し、係合ブロックの底端はばね（図示せず）を介して下顎部５の底面に連結される。係合ブロックと浮動ブロック１とは、一体的に製造される。他の構造は第１実施例と同様であるため、これらの構造に関する説明は繰返さない。
【００２６】
本実施例の動作原理は、以下に説明される。線形カッターステープラーが開けられないまたはステープルカートリッジ５１が装入されないとき、係合ブロックがばねの作用により上方へ浮動し、よって浮動ブロック１も係合ブロックの作用により上方へ浮動する。係合ブロックの頂端がステープル押し棒３の底面の切欠きと係合する。よって、ステープル押し棒３の前方への移動ができなくなり、安全装置が起動する。ステープルカートリッジ５１が下顎部５に装入され、上顎部および下顎部が閉められると、ステープルアンビル６が突起１３を押圧することになり、よって浮動ブロック１はばねを押圧して収縮させ、係合ブロックを下方へ移動させる。その後、浮動ブロック１は、ステープル押し棒３およびカッター押し棒４が通過できる位置に復帰する。したがって、係合ブロックが切欠きから解放され、安全装置が解除される。
【００２７】
本発明はさまざまな実施例をさらに含む。均等の変更または均等の修正により構成されたすべての技術的解決策は、本発明の保護範囲に含まれる。
【符号の説明】
【００２８】
１  浮動ブロック、１１  第１貫通スロット、１２  第２貫通スロット、１３  突起、２  板ばね、３  ステープル押し棒、４  カッター押し棒、５  下顎部、５１  ステープルカートリッジ、６  ステープルアンビル。
【図１】
2014505508.tif 000003
【図２】
2014505508.tif 000004
【図３】
2014505508.tif 000005
【図４】
2014505508.tif 000006
【図５】
2014505508.tif 000007
【図６】
2014505508.tif 000008
【図７】
2014505508.tif 000009
【図８】
2014505508.tif 000010
【国際調査報告】
2014505508.tif 000011
2014505508.tif 000012
2014505508.tif 000013
2014505508.tif 000014
2014505508.tif 000015
2014505508.tif 000016
2014505508.tif 000017
2014505508.tif 000018